(57)【要約】【課題】壁体における開口部の隅角部近傍での損傷を発生し難くする建物を提供することを目的とする。【解決手段】所定の構面Ｐ１内に配置された第１壁体３１と、第１壁体３１から離間して配置された第２壁体３２と、構面Ｐ１内で、第１壁体３１と第２壁体３２との間に架け渡されて、第１壁体３１及び第２壁体３２に接合された大梁４１と、を備え、大梁４１の接合は、非剛接合である。地震等により、この組積造建物１に水平力Ｆが作用したとしても、大梁４１には軸力しか作用しない。その結果、開口部の隅角部近傍に集中し易い応力を逃がすことができ、亀裂等の損傷を抑えることができる。【選択図】図３
2018105096.tif 000002
【特許請求の範囲】
【請求項１】
所定の構面内に配置された第一の壁体と、
前記第一の壁体から離間して配置された第二の壁体と、
前記構面内で、前記第一の壁体と前記第二の壁体との間に架け渡されて、前記第一の壁体及び前記第二の壁体に接合された横架材と、を備え、
前記横架材の前記接合は、非剛接合である建物。
【請求項２】
前記第二の壁体は、前記第一の壁体と同一の構面内に配置されている請求項１記載の建物。
【請求項３】
前記横架材は、接合金物を介して前記第一の壁体及び前記第二の壁体に接合されており、
前記接合金物の一端側は、前記第一の壁体または前記第二の壁体に固定されており、前記接合金物の他端側は、鉛直方向に沿って立設された縦板状片を介して前記横架材に接合されている、請求項１または２記載の建物。
【請求項４】
前記横架材に固定された床材を更に備えていることを特徴とする請求項１〜３のいずれか一項記載の建物。
【請求項５】
複数の階層を備え、前記複数の階層において、平面視で重なる位置に前記横架材が設けられている請求項１〜４のいずれか一項記載の建物。
【請求項６】
前記第一の壁体及び前記第二の壁体は、複数のブロックを組積して構成された組積造構造である、請求項１〜５のいずれか一項記載の建物。
【発明の詳細な説明】
【技術分野】
【０００１】
本発明の一側面は、建物に関する。
【背景技術】
【０００２】
コンクリートブロックあるいは煉瓦を使用した組積造等の建物が知られている。また、この種の建物において、壁体に開口部を設けた構造が知られている。
【先行技術文献】
【特許文献】
【０００３】
【特許文献１】特開平９−２３５８０１号公報
【特許文献２】特開２０１０−０３１６１８号公報
【特許文献３】特開２０１１−０２１４２２号公報
【発明の概要】
【発明が解決しようとする課題】
【０００４】
しかしながら、組積造等の建物において壁体に窓等の開口部を設けた場合、開口部の隅角部近傍で応力が集中して亀裂等の損傷が発生するおそれがある。
【０００５】
そこで、本発明の一側面は、壁体における開口部の隅角部近傍での損傷を発生し難くする建物を提供することを目的とする。
【課題を解決するための手段】
【０００６】
本発明の一側面に係る建物は、所定の構面内に配置された第一の壁体と、第一の壁体から離間して配置された第二の壁体と、上記の構面内で、第一の壁体と第二の壁体との間に架け渡されて、第一の壁体及び第二の壁体に接合された横架材と、を備え、横架材の接合は、非剛接合である。この非剛接合とは、第一の壁体及び第二の壁体の一方の壁面に接合された横架材の端部の軸線と壁面との交角を仮定した場合に、例えば当該構面内に水平力等の力が作用した際の交角が変化する接合（換言すると、接合部の回転を許容する接合）である。
【０００７】
この建物では、横架材の下方に開口部が形成され、第一の壁体及び第二の壁体と横架材との接合部位は、開口部の隅角部近傍に相当する。ここで、地震等により、この建物に水平力が作用したとしても、横架材は、第一の壁体及び前記第二の壁体に対して、非剛接合によって接合されているので、横架材には軸力しか作用しない。その結果、開口部の隅角部近傍に集中し易い応力を逃がすことができ、亀裂等の損傷を抑えることができる。また、第一の壁体と第二の壁体の水平方向の変位を等しくすることができ、例えば、開口部に嵌め込まれる窓サッシの強度設計を簡易化することができる。
【０００８】
この建物において、第二の壁体は第一の壁体と同一の構面内に配置されていてもよい。同一の構面内に配置された第一の壁体と第二の壁体との間に架け渡された横架材によって形成された開口部の隅角部近傍の損傷を抑えることができる。
【０００９】
また、この建物において、横架材は、接合金物を介して第一の壁体及び第二の壁体に接合されており、接合金物の一端側は、第一の壁体または第二の壁体に固定されており、接合金物の他端側は、鉛直方向に沿って立設された縦板状片を介して横架材に接合されていてもよい。接合金物を介して接合することにより、非剛接合を容易に実現できる。
【００１０】
また、この建物において、横架材に固定された床材を更に備えていてもよい。床材を備えることにより、横架材の変形が拘束され座屈し難くなる。その結果、横架材を、より小さな断面とすることができる。
【００１１】
また、この建物において、複数の階層を備え、複数の階層において、平面視で重なる位置に横架材が設けられていてもよい。複数の横架材が鉛直方向で並んで配置されることになり、横架材に作用する軸力が分散して座屈し難くなる。その結果、横架材をより小さな断面とすることができる。
【００１２】
また、この建物において、第一の壁体及び前記第二の壁体は、複数のブロックを組積して構成された組積造構造であってもよい。組積造構造の建物に開口部を形成した場合に、その開口部の隅角部近傍での損傷を発生し難くすることができる。
【発明の効果】
【００１３】
壁体における開口部の隅角部近傍での損傷を発生し難くすることができる。
【図面の簡単な説明】
【００１４】
【図１】実施形態に係る組積造建物の斜視図である。
【図２】組積造建物の１階部分の斜視図である。
【図３】壁体と梁との接合部分を拡大して示す斜視図である。
【図４】壁体と梁とを接合部分の縦断面図である。
【図５】壁体と梁とを非剛接合した態様を模式的に示し、図５（ａ）は水平力が作用していない状態の図であり、図５（ｂ）は水平力が作用している状態の図である。
【図６】壁体と梁とを剛接合した態様を模式的に示し、図６（ａ）は水平力が作用していない状態の図であり、図６（ｂ）は水平力が作用している状態の図である。
【図７】梁接合金物を示し、図７（ａ）は側面図であり、図７（ｂ）は平面図である。
【図８】梁接合金物の変型例を示し、図８（ａ）は側面図であり、図８（ｂ）は正面図である。
【図９】組積造建物の１階部分の天井に２階部分の床材を設置した状態を示す斜視図である。
【図１０】組積造建物の各実施形態を模式的に示す図であり、図１０（ａ）は第２の実施形態、図１０（ｂ）は第３の実施形態、図１０（ｃ）は第４の実施形態、図１０（ｄ）は第５の実施形態、図１０（ｅ）は第６の実施形態を示す図である。
【発明を実施するための形態】
【００１５】
以下、本発明の実施形態について図面を参照しながら説明する。なお、図面の説明において同一の要素には同一の符号を付し、重複する説明を省略する。
【００１６】
図１、図２、及び図９に示されるように、本実施形態に係る組積造建物１は、例えば二階建ての組積造の住宅である。組積造建物１は、鉄筋コンクリート造の剛体である基礎２（べた基礎等）の縁部に形成された立ち上がり部２ａ上に、壁体３が形成されている。組積造建物１は、使用される部材の多くが規格化、工業化された工業化住宅である。組積造建物１は平面モジュール（所定のモジュール）Ｍを有している。平面モジュールＭは、例えば２５０ｍｍに設定できる。組積造建物１の通り芯は、直交する二方向について平面モジュールＭの整数倍の間隔で複数設定されており、壁体３の厚さ方向（室内から室外へ向かう方向）における中心線は、当該通り芯に一致している。
【００１７】
組積造建物１は、上述の基礎２および壁体３の他、離隔した壁体３を連結する大梁４、床材７（陸屋根含む）を支持する床受け梁８、小屋組９、勾配屋根１０等を備えて構成されている。
【００１８】
壁体３は、基礎２に埋設され、上方に延びる補強鉄筋６１及び空隙部に充填されたグラウトによって、基礎２に対し強固に固定されている。壁体３は、構造力学的には、下端を固定端、上端を自由端とする片持ち状の構造体、すなわち地震力等の水平力Ｆによるせん断力や曲げモーメントに対して固定端で抵抗する構造体である。壁体３は、外部空間と内部空間を区画する外周壁として用いること以外に、内部空間を複数の空間に仕切る間仕切り壁として、あるいは外部空間における独立壁や袖壁として用いることができる。
【００１９】
壁体３は、平面視で仮想的に複数に分割された分割領域ごとに、分割領域に作用する荷重に対抗可能な強度が確保されている。組積造建物１は、これらの分割領域ごとに構造計算が行われている。また、壁体３は、複数のブロック１１によって形成される組積造構造であり、複数かつ複数種類の組積ユニットを組積することによって形成されている。
【００２０】
図３及び図４に示されるように、組積ユニットを構成するブロック１１は、略直方体形状であり、ブロック１１の長手方向の寸法は、平面モジュールＭの整数倍、例えば、３倍の７５０ｍｍである。また、ブロック１１の厚さ方向の寸法は、Ｍの整数倍、例えば、1倍の２５０ｍｍである。また、ブロック１１の高さ方向の寸法は、例えば１５０ｍｍである。
【００２１】
壁体３は、ブロック１１の長さ方向に隣接するブロック１１間の縦目地が平面モジュールＭの整数倍のズレとなるように千鳥状に配置されている。すなわち、ブロック１１間の縦目地が上下方向において連続せず、ブロック１１間の縦目地が横方向に平面モジュールＭの整数倍ズレている。なお、横方向とは、水平方向である。
【００２２】
ブロック１１は、連設する方向において互いに対向する端面１２と、面外方向において互いに対向する側面１３と、上下方向において互いに対向する上面１４及び下面１５と、を有している。ブロック１１の材料は、例えば、ＡＬＣ（軽量気泡コンクリート）、又は軽量コンクリートである。
【００２３】
ブロック１１の端面１２には、上面１４から下面１５まで連続して設けられるグラウト材充填用の凹部１２ａが所定の幅をもって形成されている。また、ブロック１１の下面１５には、一方の端面１２から他方の端面１２まで連続して設けられるグラウト材充填用の凹部（グラウト充填部）１５ａが所定の幅をもって形成されている。凹部１２ａと凹部１５ａとは、略同じ大きさの幅をもって形成されている。また、ブロック１１には、上面１４から下面１５へ貫通する断面略円形状の鉄筋挿入孔１４ａが形成されている。鉄筋挿入孔１４ａは、千鳥状に配置された上下のブロック１１において連通するように、例えば２カ所又は３カ所に設けられている。
【００２４】
以下、説明の便宜上、複数の壁体３のうち、所定の構面Ｐ１内に配置された基準となる壁体３を第１壁体３１とする（図２参照）。また、構面Ｐ１と仮想的に交差（直交）する構面Ｐ３内に配置された第４壁体３４から離間すると共に、第１壁体３１の構面Ｐ１とは異なる構面Ｐ２に配置された壁体３を第３壁体３３とする。第１壁体３１及び第３壁体３３は「第一の壁体」に相当し、第２壁体３２及び第４壁体３４は「第二の壁体」に相当する。
【００２５】
第１壁体３１と第２壁体３２とは互いに離間しており、大梁４によって互いに連結されている。第１壁体３１と第２壁体３２とに架け渡された大梁４は、説明の便宜上、他の大梁４と区別するため大梁４１として説明する。大梁４１は横架材の一例である。大梁４１は、例えば、木質系材料からなり、矩形断面を有する。大梁４１は、第１壁体３１および第２壁体３２の通り芯上に配置され、一方の端部４ａは、第１壁体３１と一直線状となるように第１壁体３１の端面に接合されている。また、他方の端部４ａは、第２壁体３２と一直線状となるように第２壁体３２の端面に接合されている。大梁４１の幅は、第１壁体３１または第２壁体３２を形成するブロック１１よりも薄く、大梁４１の外側面は、第１壁体３１または第２壁体３２の外側面よりも後退するように取り付けられている。なお、大梁４１は、上端面位置が床受け梁８に一致しており床受け梁８を兼ねるとともに床材７を固定金物等で固定することができる。また、大梁４１は、防水や意匠性向上のために、窯業系板材、各種金属製板材、塗料等によって、第１壁体３１や第２壁体３２の外側面とは異なる仕上げ（不図示）が施されている。
【００２６】
第１壁体３１、第２壁体３２、大梁４１、及び基礎２によって囲まれた領域は開口部Ｓ１であり、窓サッシ等（不図示）がはめ込まれている。大梁４１の外側面と窓サッシ等の外側面とは略同一である。つまり、大梁４１の外側面は、第１壁体３１や第２壁体３２の外側面からは後退している。第１壁体３１や第２壁体３２は、組積造で目地を表した仕上げとしているが、大梁４１の外側面が第１壁体３１や第２壁体３２から後退し、面が揃ってないので、異なる仕上げを施しても意匠性を損ねず、組積造建物１に陰影を与え意匠性を向上させることもできる。
【００２７】
第３壁体３３と第４壁体３４とは互いに離間しており、大梁４によって互いに連結されている。第３壁体３３と第４壁体３４とに架け渡された大梁４は、説明の便宜上、他の大梁４と区別するため大梁４２として説明する。大梁４２は横架材の一例である。大梁４２は、例えば、木質系材料からなり、矩形断面を有する。大梁４２は、第３壁体３３の通り芯上に配置され、一方の端部４ａは、第３壁体３３と一直線状となるように、第３壁体３３の端面に接合されている。他方の端部４ａは、第４壁体３４と直交するように、第４壁体３４の側面に接合されている。大梁４２の幅はブロック１１よりも薄く、大梁４２の外側面は、第３壁体３３の外側面よりも後退するように取り付けられている。なお、大梁４２は、上端面位置が床受け梁８に一致しており床受け梁８を兼ねるとともに床材７を固定金物等で固定することができる。また、大梁４２は、防水や意匠性向上のために、窯業系板材、各種金属製板材、塗料等によって、第３壁体３３や第４壁体３４の外側面とは異なる仕上げ（不図示）が施されている。
【００２８】
第３壁体３３、第４壁体３４、大梁４２、及び基礎２によって囲まれた領域は外部空間に形成された開口部Ｓ２である。大梁４２の内側面及び外側面は、第３壁体３３の内側面及び外側面からは後退している。第３壁体３３は、組積造で目地を表した仕上げとしているが、大梁４２の内側面及び外側面が第３壁体３３から後退し、面が揃ってないので、異なる仕上げを施しても意匠性を損ねない。
【００２９】
第５壁体３５と第４壁体３４とは互いに離間しており、大梁４によって互いに連結されている。第３壁体３３と第４壁体３４とに架け渡された大梁４は、説明の便宜上、他の大梁４と区別するため大梁４２として説明する。大梁４２は横架材の一例である。大梁４２は、例えば、木質系材料からなり、矩形断面を有する。大梁４２は、第３壁体３３の通り芯上に配置され、一方の端部４ａは、第３壁体３３と一直線状となるように、第３壁体３３の端面に接合されている。他方の端部４ａは、第４壁体３４と直交するように、第４壁体３４の側面に接合されている。大梁４２の幅はブロック１１よりも薄く、大梁４２の外側面は、第３壁体３３の外側面よりも後退するように取り付けられている。なお、大梁４２は、上端面位置が床受け梁８に一致しており床受け梁８を兼ねるとともに床材７を固定金物等で固定することができる。また、大梁４２は、防水や意匠性向上のために、窯業系板材、各種金属製板材、塗料等によって、第３壁体３３や第４壁体３４の外側面とは異なる仕上げ（不図示）が施されている。
【００３０】
第３壁体３３、第４壁体３４、大梁４２、及び基礎２によって囲まれた領域は外部空間に形成された開口部Ｓ２である。大梁４２の内側面及び外側面は、第３壁体３３の内側面及び外側面からは後退している。第３壁体３３は、組積造で目地を表した仕上げとしているが、大梁４２の内側面及び外側面が第３壁体３３から後退し、面が揃ってないので、異なる仕上げを施しても意匠性を損ねない。
【００３１】
なお、上記の大梁４１、４２は、第１壁体３１、第２壁体３２、第３壁体３３、または第４壁体３４に接合される形態であるが、組積造建物１を構成する大梁４としては、例えば、大梁４３と大梁４４の関係のように、直交する大梁４を同一構面内で連続する二本の大梁４で挟むように設けても良い。なお、大梁４３は、所定の構面Ｐ３内で、互いに離間して配置された壁体間に架け渡されており、横架材に相当する。そして、大梁４３は各壁体に対し、後述の梁接合金物５を介して非剛接合にて接合されている。
【００３２】
図３及び図４に示されるように、大梁４は、梁接合金物５を介して第１壁体３１、第２壁体３２、第３壁体３３、または第４壁体３４に接合されている。なお、梁接合金物５を介して接合される構造は基本的に共通する。従って、梁接合金物５によって大梁４と第１壁体３１とを接合する接合構造を代表として説明し、その他の接合構造の詳細説明は省略する。
【００３３】
大梁４の長手方向の端部４ａには、上面から下面まで延在する縦スリット４１ａが形成されている。縦スリット４１ａは、通り芯に沿うように大梁４の幅方向の略中央で、大梁４の長手方向に沿って形成されている。大梁４の端部４ａには、材軸に直交する方向且つ水平方向に延びる複数（図示例では３つ）のピン孔４１ｂが上下方向に所定の間隔で形成されている。ピン孔４１ｂは、大梁４の一方の側面から他方の側面までを貫通している。
【００３４】
図７に示されるように、梁接合金物５は、側面視（断面視）において略Ｔ字状（図７の（ａ）図参照）をなし、上下のブロック１１同士の間に挟持される水平板状片５２と、水平板状片５２に接合され第１壁体３１の端面に当接する当接板状片５１と、当接板状片５１に接合され、且つ当接板状片５１に対して直交する方向に突き出た縦板状片５３とを備えている。
【００３５】
水平板状片５２は矩形状であり、縦方向（鉛直方向）に延在する補強鉄筋６１が通される長孔５２ａが形成されている。水平板状片５２の長手方向の一方の端部には当接板状片５１が接合されており、反対側の端部には、横方向（水平方向）に延在する補強鉄筋６３が螺合締結される肉厚の締結部５２ｂが設けられている。また、水平板状片５２の下面には、補強リブ５２ｃが設けられている。
【００３６】
ブロック１１が上記に組積された状態において、水平板状片５２は、ブロック１１の下面１５に形成されたグラウト材充填用の凹部１５ａ内に配置される。この状態で、水平板状片５２の長孔５２ａには補強鉄筋６１が挿通されている。補強鉄筋６１には、グラウト材充填前の状態で水平板状片５２を仮固定するナット６２等が取り付けられており、水平板状片５２は、ナット６２によって下方のブロック１１側に締め付けられ得る。なお、凹部１５ａ内に充填されたグラウトは、例えば、補強鉄筋６１が挿通された鉄筋挿入孔１４ａを介して下方に移動することができる。
【００３７】
当接板状片５１は矩形状であり、水平板状片５２の端部から水平板状片５２に直交する縦方向に延在する。当接板状片５１の幅は水平板状片５２の幅と同じであり、水平板状片５２に対して上下方向に突き出している。当接板状片５１は、ブロック１１の端面１２に形成されたグラウト材充填用の凹部１２ａ内に配置される。
【００３８】
縦板状片５３は矩形状であり、当接板状片５１に接合され、当接板状片５１に直交する方向に突出している。縦板状片５３の形状や板厚等は、大梁４の縦スリット４１ａの寸法に対応しており、縦スリット４１ａ内に収まる形状や板厚等になっている。縦板状片５３には、上端に形成された切欠状部５３ａと、切欠状部５３ａの下方に形成された複数（図示例では２つ）のピン孔５３ｂとを備えている。切欠状部５３ａ及びピン孔５３ｂの上下方向の間隔は、大梁４に形成されたピン孔４１ｂの上下方向の間隔と一致している。ピン孔５３ｂは、上下方向よりも幅方向に長い長孔となっている。切欠状部５３ａの幅方向の長さは、ピン孔５３ｂの幅方向の長さと同じになっている。
【００３９】
次に、第１壁体３１と大梁４とを梁接合金物５を介して接合する際の手順及び接合構造の作用について説明する。大梁４には三カ所にピン孔４１ｂが形成されており、そのうち、最上部のピン孔４１ｂに金属ピン（軸状部材）５４ａを差し込んでおく。この状態で、大梁４の縦スリット４１ａを縦板状片５３に被せるように上方から差し込んでいく。すると、大梁４に取り付けていた金属ピン５４ａが縦板状片５３の切欠状部５３ａに係止され、縦板状片５３に対する大梁４の仮位置が決まる。この状態で、他の二本の金属ピン５４ａを縦板状片５３のピン孔５３ｂから通し、縦板状片５３のピン孔４１ｂを貫通させて固定する。
【００４０】
この接合構造では、梁接合金物５の水平板状片５２は第１壁体３１の内部に埋設されることで第１壁体３１に固定されている。一方で、大梁４の長手方向に延在する縦板状片５３は、大梁４の端部４ａに形成された縦スリット４１ａ内に差し込まれ、金属ピン５４ａを介して大梁４に固定されている。その結果、第１壁体３１と大梁４とは、梁接合金物５を介してピン接合された形態を実現している。なお、金属ピン５４ａは上下方向に複数差し込まれているが、大梁４の上端近傍及び下端近傍の材軸方向の変位を拘束するものではない。このような構造により、大梁４と第１壁体３１との間では大梁４に作用する軸力（圧縮力、引張力）やせん断力は伝達されるが、曲げモーメントの伝達は十分にはなされず、ピン接合または半剛接合といった非剛接合を実現している。なお、この接合構造において、軸力の伝達が充分に行われるように、補強鉄筋と連結させたり、適宜にリブ等を設けたりしてもよい。
【００４１】
なお、梁接合金物５に代えて、変型例に係る梁接合金物５Ａ（図８参照）とすることもできる。図８は、変型例に係る梁接合金物を示し、図８の（ａ）図は側面図であり、図８の（ｂ）図は平面図である。図８に示されるように、梁接合金物５Ａは、締結部５２ｂを備えていない点、及び補強鉄筋６１が通される長孔５２ａを丸孔５２ｄに変更した点を除き基本的な構造は共通する。その他、例えば、水平板状片５２に例えば突起を設け、この突起がグラウト内に埋まり、その結果、水平板状片５２に水平方向の力が作用した場合に抵抗となる接合構造とすることも可能である。
【００４２】
大梁４の端部４ａは、梁接合金物５や梁接合金物５Ａによって、第１壁体３１及び第２壁体３２対し、非剛接合によって接合されている。非剛接合について、図５及び図６を参照し、剛接合と比較しながら説明する。なお、図５は、第１壁体３１及び第１壁体３１と大梁４とを非剛接合した態様を模式的に示し、（ａ）図は水平力Ｆが作用していない状態の図であり、（ｂ）図は水平力Ｆが作用している状態の図である。また、図６は、第１壁体１３１及び第２壁体１３２と横架材１４１とを剛接合した態様を模式的に示し、（ａ）図は水平力Ｆが作用していない状態の図であり、（ｂ）図は水平力Ｆが作用している状態の図である。
【００４３】
剛接合とは、例えば、鉄骨造架構において角形鋼管からなる鉄骨柱にＨ形鋼からなる梁材の上下フランジ及びウェブを溶接等して接合した形態である。ここで、図６に示されるように、第１壁体１３１及び第２壁体１３２の一方の壁面Ｆａに接合された横架材１４１の端部の軸線Ｓｂと壁面Ｆａとの交角、つまり、軸線Ｓｂと壁面Ｆａとの交差によって形成される角度θ１を仮定する。剛接合の場合、壁面Ｆａと横架材１４１とが水平力Ｆを受けたとしても、角度θ１は実質的に変化しない。このことは、横架材１４１の端部と第１壁体１３１及び第２壁体１３２とは当接された状態を維持し、つまり、互いの対向距離が水平力Ｆを受けたとしても変化しないことを意味する。
【００４４】
これに対し、非剛接合とは、ピン接合または半剛接合からなる接合形態である。本実施形態では、図５に示されるように、大梁４の端部４ａは梁接合金物５によって第１壁体３１及び第２壁体３２に接合されている。ここで、上記同様に、第１壁体３１及び第２壁体３２の一方の壁面Ｆａに接合された大梁４の端部４ａの軸線Ｓａと壁面Ｆａとの交角である角度θ１を仮定する。非剛接合の場合、壁面Ｆａと大梁４とが水平力Ｆを受けた場合には、角度θ１は角度θ２に変化する。このことは、大梁４の端部４ａと第１壁体３１及び第２壁体３２との対向距離の一部分が、水平力Ｆを受けたことによって離間し変化することを意味する。
【００４５】
図９に示されるように、構面Ｐ３内に配置された大梁４（４３）には、床材７が載置されて固定されている。本実施形態に係る床材７は２階の床部を形成する部分であるが、陸屋根を形成する床材７を大梁４によって支持する形態であってもよい。
【００４６】
本実施形態に係る組積造建物１は、所定の構面Ｐ１内に配置された第１壁体３１と、第１壁体３１から離間して配置された第２壁体３２と、構面Ｐ１内で、第１壁体３１と第２壁体３２との間に架け渡された大梁４（４１）と、を備えている。また、所定の構面Ｐ２内に配置された第３壁体３３と、第３壁体３３から離間して配置された第４壁体３４と、構面Ｐ２内で、第３壁体３３と第４壁体３４との間に架け渡された大梁４（４２）と、を備えている。そして大梁４は、第１壁体３１、第２壁体３２、第３壁体３３、及び第４壁体３４に対し、非剛接合によって接合されている。
【００４７】
この組積造建物１では、大梁４１の下方に開口部Ｓ１が形成され、第１壁体３１及び第２壁体３２と大梁４１との接合部位は、開口部Ｓ１の隅角部近傍に相当する。また、第３壁体３３及び第４壁体３４と大梁４２との接合部位は、開口部Ｓ２の隅角部近傍に相当する。ここで、地震等により、この建物に水平力Ｆが作用したとしても、大梁４の端部４ａは、第１壁体３１、第２壁体３２、第３壁体３３、及び第４壁体３４に対し、非剛接合によって接合されているので、大梁４（４１，４２）には軸力しか作用しない。その結果、開口部Ｓ１、Ｓ２の隅角部近傍に集中し易い応力を逃がすことができ、亀裂等の損傷を抑えることができる。
【００４８】
なお、開口部Ｓ１、Ｓ２の隅角部近傍の損傷を避けるため、例えば、細分化により曲げモーメントが伝わり難いブロックの水平目地部へ鉄筋を配設して補強する補強も考えられる。しかしながら、大梁４の端部４ａを第１壁体３１、第２壁体３２、第３壁体３３、及び第４壁体３４に対して非剛接合によって接合するという上記の工夫を行わない場合、鉄筋の量が多くなり、また配筋の位置に制約もあるので所望の大開口（幅寸法や高さ寸法が大きい開口部）が取り難い。また、開口部Ｓ１、Ｓ２の上方にまぐさ、例えば、ＰＣ、或いは現場打設のＲＣ等で構成した横架材を設ける方法では断面性能が大きく、構造的には大開口に対応し易いものの、壁面の統一感が損なわれ、意匠性が低下するため、結果として大開口には不適となる。これに対し、本実施形態に係る上記の工夫を行うことにより、例え、鉄筋補強を併設したとしても大開口に有利となる。
【００４９】
また、本実施形態に係る第１壁体３１、第２壁体３２、第３壁体３３、及び第４壁体３４は、それぞれの構面Ｐ１、Ｐ２、Ｐ３方向に関して片持ち状であり、その結果、上端の水平変位が抑えられるので大梁４との接合部に過大な応力が作用せず、破損を防止することができる。特に、第１壁体３１、第２壁体３２、第３壁体３３、及び第４壁体３４がＡＬＣのような比較的脆弱な材料で構成される場合に有効である。
【００５０】
また、本実施形態では、第１壁体３１、第２壁体３２、第３壁体３３、及び第４壁体３４と大梁４（４１，４２）との接合がピン接合とされているので、大梁４には軸力しか作用せず、しかも、第１壁体３１、第２壁体３２、及び第３壁体３３は構面方向に関して片持ち状であるので、大梁４の断面を過度に大きくする必要がなく、大開口に対応しやすい。また、構造がシンプルで、曲げモーメントの伝達を考慮する必要が少ないため、増改築に対応しやすい。
【００５１】
また、大梁４（４１，４２）は、梁接合金物５を介して第１壁体３１、第２壁体３２、第３壁体３３、及び第４壁体３４に接合されており、梁接合金物５の一端側は、第１壁体３１、第２壁体３２、第３壁体３３、または第４壁体３４に固定されており、梁接合金物５の他端側は、鉛直方向に沿って立設された縦板状片５３を介して大梁４（４１，４２）に接合されている。本実施形態によれば、梁接合金物５によって第１壁体３１、第２壁体３２、または第３壁体３３と大梁４の端部４ａとを接合することにより、非剛接合、具体的にはピン接合を容易に実現できる。
【００５２】
また、本実施形態では、大梁４（４３）に固定された床材７を備えている。床材７を備えることにより、大梁４の変形が拘束され座屈し難くなる。その結果、大梁４を、より小さな断面とすることができる。
【００５３】
次に、組積造建物１の変形形態について、図１０を参照して説明する。図１０は、組積造建物の変形形態を模式的に示す図であり、（ａ）図は第１の変形形態、（ｂ）図は第２の変形形態、（ｃ）図は第３の変形形態、（ｄ）図は第４の変形形態、（ｅ）図は第５の変形形態を示す図である。
【００５４】
第１の変形形態に係る組積造建物１Ａは、複数の階層を備えている。組積造建物１Ａは、所定の構面内に配置された第一の壁体３Ａと、第一の壁体３Ａから離間して配置されると共に、第一の壁体３Ａと同一の構面内に配置されている第二の壁体３Ｂとを備えている。第一の壁体３Ａと第二の壁体３Ｂとの間には、同一の構面内に横架材４Ａが架け渡されており、横架材４Ａは、第一の壁体３Ａ及び第二の壁体３Ｂに対し、非剛接合によって接合されている。横架材４Ａは、中間階では設けられておらず、最上階にのみ設けられている。
【００５５】
第２の変形形態に係る組積造建物１Ｂは、複数の階層を備えている。組積造建物１Ｂは、所定の構面内に配置された第一の壁体３Ａと、第一の壁体３Ａから離間して配置されると共に、第一の壁体３Ａと同一の構面内に配置されている第二の壁体３Ｂとを備えている。第一の壁体３Ａと第二の壁体３Ｂとの間には、同一の構面内に横架材４Ａ、４Ｂが架け渡されており、横架材４Ａ、４Ｂは、第一の壁体３Ａ及び第二の壁体３Ｂに対し、非剛接合によって接合されている。横架材４Ａは最上階に設けられており、横架材４Ｂは中間階に設けられている。
【００５６】
第２の変形形態に係る組積造建物１Ｂは、複数の階層を備え、複数の階層において、平面視で重なる位置に横架材４Ａ，４Ｂが設けられている。複数の横架材４Ｂが鉛直方向で並んで配置されることになり、横架材４Ａ，４Ｂに作用する軸力が分散して座屈し難くなる。その結果、横架材４Ａ，４Ｂをより小さな断面とすることができる。
【００５７】
第３の変形形態に係る組積造建物１Ｃは、複数の階層を備えている。組積造建物１Ｃは、所定の構面内に配置された第一の壁体３Ａと、第一の壁体３Ａから離間して配置された第二の壁体３Ｃとを備えている。第二の壁体３Ｃの構面は、第一の壁体３Ａの構面に直交している。第一の壁体３Ａと第二の壁体３Ｃとの間には横架材４Ａが架け渡されている。横架材４Ａは、第一の壁体３Ａの構面内に配置されている。横架材４Ａは、第一の壁体３Ａ及び第二の壁体３Ｃに対し、非剛接合によって接合されている。横架材４Ａは、中間階では設けられておらず、最上階にのみ設けられている。
【００５８】
第４の変形形態に係る組積造建物１Ｄは、所定の構面内に配置された第一の壁体３Ｄと、第一の壁体３Ｄから離間して配置されると共に、第一の壁体３Ｄと同一の構面内に配置されている第二の壁体３Ｂとを備えている。第一の壁体３Ｄと第二の壁体３Ｂとの間には、同一の構面内に横架材４Ｃが架け渡されており、横架材４Ｃの端部は、第一の壁体３Ｄ及び第二の壁体３Ｂに対し、非剛接合によって接合されている。横架材４Ｃは、第二の壁体３Ｂの中間階と第一の壁体３Ｄの天井部との間に架け渡されている。本変形形態で示されるように、第一の壁体３Ｄと第二の壁体３Ｂとの高さは異なる態様であっても良く、また異なる階層に対応した高さであっても良い。
【００５９】
第５の変形形態に係る組積造建物１Ｅは、所定の構面内に配置された第一の壁体３Ａと、第一の壁体３Ａから離間して配置されると共に、第一の壁体３Ａと同一の構面内に配置されている第二の壁体３Ｂとを備えている。第一の壁体３Ａと第二の壁体３Ｂとの間には、同一の構面内に横架材４Ｂが架け渡されており、横架材４Ｂの端部は、第一の壁体３Ａ及び第二の壁体３Ｂに対し、非剛接合によって接合されている。横架材４Ｂは、第一の壁体３Ａと第二の壁体３Ｂとの中間階に設けられている。
【００６０】
以上、本発明を実施形態に基づいて説明したが、本発明は上記の実施形態のみに限定されない。例えば、壁体は、現場施工の鉄筋コンクリート造、プレキャストコンクリート造、型枠コンクリートブロック造、補強コンクリートブロック造等のコンクリート系壁体の他、２×４工法による壁体や木質パネル工法による壁体などであってもよい。
【００６１】
また、離間して配置された二つの壁体において、一方の壁体のみが片持ち状であってもよい。この場合、他方の壁体は、鉛直荷重のみを負担し水平荷重は負担しない壁体、少なくとも水平荷重を負担することを期待しない壁体（いわゆる「雑壁」）であってもよい。
【００６２】
また、横架材は、プレキャストコンクリート製や鋼製であってもよく、断面形状も限定されない。例えば、鋼製であれば、Ｈ形鋼、溝形鋼、リップ付溝形鋼等を用いることができる。また、複数の階層を備えた建物の場合、横架材は、全ての層に設ける必要はなく、一部の層にのみ設けてもよい。
【００６３】
接合金物は、横架材の上端及び下端を拘束せず、曲げモーメントを全く或いは充分に伝達しない形態、つまり剛接合とはみなせない接合（非剛接合）を実現できる形態であればどのようなものでもよい。例えば、横架材の載置（掛止）部を有し、当該載置（掛止）部に横架材の端部を載置（掛止）しボルト等で締結するような構成でもよい。また、接合金物の壁体側は、壁体内に埋設されるものの他、壁体の側面にビス、釘、ボルト等の固定具にて固定されるものであってもよい。
【符号の説明】
【００６４】
１…組積造建物（建物）、３…壁体、３１…第１壁体（第一の壁体）、３２…第２壁体（第二の壁体）、３３…第３壁体（第一の壁体）、３４…第４壁体（第二の壁体）、３Ａ，３Ｄ…第一の壁体、３Ｂ，３Ｃ…第二の壁体、４１，４２，４３…大梁（横架材）、４Ａ，４Ｂ，４Ｃ…横架材、５,５Ａ…梁接合金物（接合金物）、５３…縦板状片、７…床材、１１…ブロック、Ｐ１、Ｐ２、Ｐ３…構面。
【図１】
2018105096.tif 000003
【図２】
2018105096.tif 000004
【図３】
2018105096.tif 000005
【図４】
2018105096.tif 000006
【図５】
2018105096.tif 000007
【図６】
2018105096.tif 000008
【図７】
2018105096.tif 000009
【図８】
2018105096.tif 000010
【図９】
2018105096.tif 000011
【図１０】
2018105096.tif 000012